(57)【要約】本発明は、無線接続システムにおけるページング方法を提供する。遊休モードの移動端末に対するページング方法は、移動端末の位置しているページンググループに対するラージページンググループ識別子及びスモールページンググループ識別子をスーパーフレームヘッダに割り当て、移動端末に対するページングメッセージの有無を指示するラージページンググループフラグ及びスモールページンググループフラグをスーパーフレームヘッダに割り当てることができる。基地局は、ページング情報を含むスーパーフレームヘッダを遊休モードの移動端末に転送することによって、移動端末とページングを行うことができる。
2011524109.tif 000002
【特許請求の範囲】
【請求項１】
遊休モードの移動端末に対するページング方法であって、
前記移動端末の位置しているページンググループに対するラージページンググループ識別子及びスモールページンググループ識別子を前記ヘッダに割り当て、
前記移動端末に対するページングメッセージの有無を指示するラージページンググループフラグ及びスモールページンググループフラグを前記ヘッダに割り当て、
前記ヘッダを前記遊休モードの移動端末に転送すること、
を含む、ページング方法。
【請求項２】
前記ヘッダはスーパーフレームヘッダに含まれ、
前記ラージページンググループ識別子及び前記スモールページンググループ識別子は、前記スーパーフレームヘッダの放送チャネル（ＢＣＨ）に割り当てられることを特徴とする、請求項１に記載のページング方法。
【請求項３】
前記ラージページンググループフラグ及び前記スモールページンググループフラグは、前記スーパーフレームヘッダの前記放送チャネル（ＢＣＨ）に割り当てられることを特徴とする、請求項２に記載のページング方法。
【請求項４】
前記ラージページンググループフラグ及び前記スモールページンググループフラグは、前記スーパーフレームヘッダの高速ページングチャネル（ＱＰＣＨ）に割り当てられることを特徴とする、請求項２に記載のページング方法。
【請求項５】
前記ラージページンググループ識別子は、前記放送チャネルのうち、単一周波数搬送網を用いる放送チャネル領域に含まれ、
前記スモールページンググループ識別子は、前記放送チャネルのうち、セル特定放送チャネル領域に含まれることを特徴とする、請求項２に記載のページング方法。
【請求項６】
前記ラージページンググループフラグは、前記放送チャネルのうち、単一周波数搬送網を用いる放送チャネル領域に含まれ、
前記スモールページンググループ識別子は、前記放送チャネルのうち、セル特定放送チャネル領域に含まれることを特徴とする、請求項３に記載のページング方法。
【請求項７】
遊休モードの移動端末のページング方法であって、
前記移動端末の属しているページンググループに対するラージページンググループ識別子、ラージページンググループオフセット、スモールページンググループ識別子及びスモールページンググループオフセットのうち一つ以上を含むページング情報を受信し、
前記移動端末が前記スモールページンググループ識別子及び前記スモールページンググループオフセットを用いてスモールページンググループで所定の無線リソースをデコーディングし、
前記移動端末が前記スモールページンググループからラージページンググループへ移動し、
前記移動端末が前記ラージページンググループで前記ラージページンググループオフセット及び前記ラージページンググループオフセットを用いてページングメッセージを受信すること、
を含む、ページング方法。
【請求項８】
前記ページング情報は、スーパーフレームヘッダ（ＳＦＨ）及び登録解除命令（ＤＲＥＧ−ＣＭＤ）メッセージのうちの一つに含まれて転送されることを特徴とする、請求項７に記載のページング方法。
【請求項９】
前記ラージページンググループ識別子、前記ラージページンググループオフセット、前記スモールページンググループ識別子及び前記スモールページンググループオフセットは、前記スーパーフレームヘッダの放送チャネル（ＢＣＨ）領域に含まれることを特徴とする、請求項８に記載のページング方法。
【請求項１０】
前記放送チャネル領域は前記移動端末に対するページングメッセージの有無を指示するラージページンググループフラグ及びスモールページンググループフラグをさらに含むことを特徴とする、請求項９に記載のページング方法。
【請求項１１】
前記放送チャネルは、単一周波数搬送網放送チャネル領域及びセル特定放送チャネル領域を含み、
前記ラージページンググループ識別子、前記ラージページンググループオフセット及び前記ラージページンググループフラグは、前記単一周波数搬送網放送チャネル領域に含まれ、
前記スモールページンググループ識別子、前記スモールページンググループオフセット及び前記スモールページンググループフラグは、前記セル特定放送チャネル領域に含まれることを特徴とする、請求項１０に記載のページング方法。
【請求項１２】
前記スーパーフレームヘッダは、高速ページングチャネルをさらに含み、
前記移動端末に対する前記ページングメッセージの有無を指示するラージページンググループフラグ及びスモールページンググループフラグは、前記高速ページングチャネルに含まれることを特徴とする、請求項９に記載のページング方法。
【請求項１３】
遊休モードの移動端末に対する効率的なページング方法であって、
ページング周期を決定するページング周期インデックス、ページンググループオフセット及びページンググループ識別子を含む第１ページング情報を受信し、
前記ページング周期インデックス及び前記ページンググループオフセットを用いて所定の期間の間に第２ページング情報を含むヘッダを受信し、
前記第２ページング情報を用いてページングメッセージを受信すること、
を含む、ページング方法。
【請求項１４】
前記ページンググループオフセットは、ラージページンググループオフセット及びスモールページンググループオフセットを含み、
前記ページンググループ識別子は、ラージページンググループ識別子及びスモールページンググループ識別子を含むことを特徴とする、請求項１３に記載のページング方法。
【請求項１５】
前記第１ページング情報は、ページング周期及びスモールページンググループ変更カウンターをさらに含むことを特徴とする、請求項１４に記載のページング方法。
【請求項１６】
前記第２ページング情報の含まれているヘッダはスーパーフレームヘッダであり、
前記移動端末が現在属しているラージページンググループ識別子及びスモールページンググループ識別子は、前記スーパーフレームヘッダの放送チャネルに含まれることを特徴とする、請求項１４に記載のページング方法。
【発明の詳細な説明】
【技術分野】
【０００１】
本発明は、無線接続システムにおけるページング方法に関するものである。
【背景技術】
【０００２】
以下では、本発明の実施例と関連するページンググループ及び移動端末の遊休モードについて簡略に説明する。
【０００３】
図１は、多数の基地局からなるページンググループの一例を示す図である。
【０００４】
ページングとは、移動通信で着信呼が発生する時、該当する移動端末（ＭＳ：Ｍｏｂｉｌｅ  Ｓｔａｔｉｏｎ）の位置（例えば、ある基地局またはある交換局等）を把握する機能のことをいう。図１に示すように、遊休モード（Ｉｄｌｅ  Ｍｏｄｅ）を支援する多数の基地局（ＢＳ：Ｂａｓｅ  Ｓｔａｔｉｏｎ）がページンググループ（Ｐａｇｉｎｇ  Ｇｒｏｕｐ）に所属されてページング領域を構成することができる。
【０００５】
ここで、ページンググループは論理的なグループを表す。ページンググループは、移動端末（ＭＳ）をターゲット（ｔａｒｇｅｔ）とするトラフィックがあると、ダウンリンク（ＤＬ：Ｄｏｗｎ  Ｌｉｎｋ）にページ（ｐａｇｅ）されうる隣接範囲領域を提供するためのものである。ページンググループは、特定移動端末が同一のページンググループ内で大部分の時間に存在できる程度に十分に大きく、ページング負荷が適正なレベルを維持するために十分に小さくなければならないという条件を満たすことが好ましい。
【０００６】
図１は、６角形の格子に位置する多重基地局上で定義された４個のページンググループを示している。一つの基地局は一つまたはそれ以上のページンググループに含まれることができる。ページンググループは管理システムで定義する。ページンググループではページンググループ−実行（ａｃｔｉｏｎ）バックボーンネットワークメッセージを使用することができる。また、ページング制御機は、バックボーンネットワークメッセージの一つであるページング公知（ｐａｇｉｎｇ−ａｎｎｏｕｎｃｅ）メッセージを用いて遊休モードの移動端末のリストを管理し、ページンググループに属する全ての基地局の初期ページングを管理することができる。
【０００７】
遊休モード（Ｉｄｌｅ  Ｍｏｄｅ）は、一般に、移動端末が多重基地局で構成された無線リンク環境を移動する時、特定基地局に登録しなくてもダウンリンク（ＤＬ：ＤｏｗｎＬｉｎｋ）ブノードキャストトラフィック転送を周期的に受信できるように支援する動作のことをいう。
【０００８】
遊休モードは、ハンドオーバーと関連した活性要求及び一般的な運営要求を除去することによって移動端末に利益を与えることができる。遊休モードは、移動端末の活動を離散周期でスキャニングするように制限することによって、移動端末が使用する電力及び運用リソースを節約できるようにする。
【０００９】
また、遊休モードは、ペンディング（ｐｅｎｄｉｎｇ）中のダウンリンクトラフィックを移動端末に知らせることができる簡単で適当な方式を提供し、非活動的な移動端末から無線インターフェース及びネットワークハンドオーバー（ＨＯ：Ｈａｎｄ  Ｏｖｅｒ）トラフィックを除去することによってネットワーク及び基地局に利益を与えることができる。
【００１０】
遊休モードにおけるページングは、ページンググループ単位で行われる。図１を参照すると、移動端末は一つ以上のページンググループに属することができ、各ページンググループのページング制御機（Ｐａｇｉｎｇ  Ｃｏｎｔｒｏｌｌｅｒ）は、呼または外部ネットワークからユーザパケット（Ｕｓｅｒ  Ｐａｃｋｅｔ）が入ってくる場合、移動端末を探すページング（Ｐａｇｉｎｇ）を行う。この場合、ページング制御機はページンググループ内の全ての基地局にページングメッセージを伝達し、ページングメッセージを受信した基地局は、移動移動端末にＭＯＢ＿ＰＡＧ−ＡＤＶメッセージをブノードキャストすることでページングを行う。
【発明の概要】
【発明が解決しようとする課題】
【００１１】
一般に、広い地域をカバーするページンググループ（Ｐａｇｉｎｇ  Ｇｒｏｕｐ）が定義される（図１参照）。この時、移動端末に転送する呼またはパケット（Ｃａｌｌ  ｏｒ  ｐａｃｋｅｔ）が発生すると、ページング制御機は該当の移動端末を探すために、ページンググループ内の全基地局にページングメッセージを伝達しなければならない。また、ページンググループ中の全ての移動端末は、自身に伝達されるページングメッセージがあるか確認するためにページング聴取区間では無線チャネルを続けてモニタしなければならないという問題点があった。
【課題を解決するための手段】
【００１２】
本発明は、上記の一般的な技術の問題点を解決するために案出されたもので、その目的は、効率的なページング方法を提供することにある。
【００１３】
本発明の他の目的は、新しいページンググループ識別子（Ｐａｇｉｎｇ  Ｇｒｏｕｐ  ＩＤ）及びページング指示フラグ（Ｐａｇｉｎｇ  Ｉｎｄｉｃａｔｏｒ  Ｆｌａｇ）を用いる効率的なページング方法を提供することにある。
【００１４】
本発明のさらに他の目的は、ページンググループ識別子及びページング指示フラグを含むスーパーフレームヘッダ構造を提供することによって、効率的なデータ通信を提供し、移動端末の電力消耗を最小化することにある。
【００１５】
本発明のさらに他の目的は、スーパーフレームヘッダの放送チャネル領域を用いてページング情報を転送する方法を提供することにある。
【００１６】
上記の技術的課題を解決するために、本発明は、効率的なページング方法を開示する。
【００１７】
本発明の一様態として、遊休モードの移動端末に対するページング方法は、移動端末の位置しているページンググループに対するラージページンググループ識別子及びスモールページンググループ識別子をヘッダに割り当てる段階と、移動端末に対するページングメッセージの有無を指示するラージページンググループフラグ及びスモールページンググループフラグをヘッダに割り当てる段階と、ページング情報を含むヘッダを遊休モードの移動端末に転送する段階と、を含むことができる。
【００１８】
また、上記の本発明の一様態において、前記ヘッダは、スーパーフレームヘッダに含まれ、ラージページンググループ識別子及びスモールページンググループ識別子は、スーパーフレームヘッダの放送チャネル（ＢＣＨ）に割り当てられることが好ましい。
【００１９】
また、上記の本発明の一様態において、ラージページンググループフラグ及びスモールページンググループフラグは、スーパーフレームヘッダの放送チャネル（ＢＣＨ）に割り当てられることができる。
【００２０】
また、上記の本発明の一様態において、ラージページンググループフラグ及びスモールページンググループフラグは、スーパーフレームヘッダの高速ページングチャネル（ＱＰＣＨ）に割り当てられることができる。
【００２１】
また、上記の本発明の一様態において、ラージページンググループ識別子は、放送チャネルのうち、単一周波数搬送網を用いる放送チャネル領域に含まれ、スモールページンググループ識別子は、放送チャネルのうち、セル特定放送チャネル領域に含まれることができる。この時、ラージページンググループフラグは、放送チャネルのうち、単一周波数搬送網を用いる放送チャネル領域に含まれ、スモールページンググループ識別子は、放送チャネルのうち、セル特定放送チャネル領域に含まれることが好ましい。
【００２２】
本発明の他の様態として、遊休モードの移動端末のページング方法は、移動端末の位置しているページンググループに対するラージページンググループ識別子及びスモールページンググループ識別子を含むヘッダを受信する段階と、ヘッダを用いてページングメッセージを受信する段階と、を含むことができる。ここで、ヘッダは、スーパーフレームヘッダであり、ラージページンググループ識別子及びスモールページンググループ識別子は、スーパーフレームヘッダの放送チャネル（ＢＣＨ）領域に含まれることができる。
【００２３】
本発明のさらに他の様態として、遊休モードの移動端末に対する効率的なページング方法は、ページング周期を決定するページング周期インデックス、ページンググループオフセット及びページンググループ識別子を含む第１ページング情報を受信する段階と、ページング周期インデックス及びページンググループオフセットを用いて所定の期間の間、第２ページング情報を含むヘッダを受信する段階と、第２ページング情報を用いてページングメッセージを受信する段階と、を含むことができる。
【００２４】
ここで、本発明のさらに他の様態において、ページンググループオフセットは、ラージページンググループオフセット及びスモールページンググループオフセットを含み、ページンググループ識別子は、ラージページンググループ識別子及びスモールページンググループ識別子を含むことができる。この時、第１ページング情報は、ページング周期及びスモールページンググループ変更カウンターをさらに含むことができる。また、前記第２ページング情報が含まれているヘッダは、スーパーフレームヘッダであり、移動端末が現在属しているラージページンググループ識別子及びスモールページンググループ識別子は、スーパーフレームヘッダの放送チャネルに含まれることができる。
【００２５】
本発明のさらに他の様態として、遊休モードの移動端末がページングメッセージを受信する方法は、移動端末の属しているページンググループに対するラージページンググループ識別子、ラージページンググループオフセット、スモールページンググループ識別子及びスモールページンググループオフセットのうち一つ以上を含むページング情報を受信する段階と、を含むことができる。
【００２６】
ここで、上記の本発明のさらに他の様態において、移動端末は、スモールページンググループ識別子及びスモールページンググループオフセットを用いてスモールページンググループで所定の無線リソースをデコーディングする段階と、移動端末がスモールページンググループからラージページンググループへ移動する段階と、移動端末がラージページンググループでラージページンググループオフセット及びラージページンググループオフセットを用いてページングメッセージを受信する段階と、をさらに含むことができる。
【００２７】
前記本発明のさらに他の様態の他の側面として、移動端末は、ラージページンググループ識別子及びラージページンググループオフセットを用いて、ラージページンググループで所定の無線リソースをデコーディングする段階と、移動端末がラージページンググループからスモールページンググループへ移動する段階と、移動端末がスモールページンググループでスモールページンググループ識別子及びスモールページンググループオフセットを用いてページングメッセージを受信する段階と、をさらに含むことができる。
【００２８】
上記の本発明のさらに他の様態において、基地局は、スーパーフレームヘッダ（ＳＦＨ）及び登録解除命令（ＤＲＥＧ−ＣＭＤ）メッセージのうちの一つにページング情報を含めて移動端末に転送することができる。
【００２９】
上記の本発明のさらに他の様態において、ラージページンググループ識別子、ラージページンググループオフセット、スモールページンググループ識別子及びスモールページンググループオフセットは、スーパーフレームヘッダの放送チャネル（ＢＣＨ）領域に含まれることができる。
【００３０】
上記の本発明のさらに他の様態において、放送チャネル領域は、移動端末に対するページングメッセージの有無を指示するラージページンググループフラグ及びスモールページンググループフラグをさらに含むことができる。
【００３１】
上記の本発明のさらに他の様態において、スーパーフレームヘッダの放送チャネルを、単一周波数搬送網放送チャネル領域及びセル特定放送チャネル領域に区別することができる。ここで、ラージページンググループ識別子、ラージページンググループオフセット及びラージページンググループフラグは、放送チャネルの単一周波数搬送網放送チャネル領域に含まれることができる。また、スモールページンググループ識別子、スモールページンググループオフセット及びスモールページンググループフラグは、放送チャネルのセル特定放送チャネル領域に含まれることができる。ここで、移動端末に対するページングメッセージの有無を指示するラージページンググループフラグ及びスモールページンググループフラグは、スーパーフレームヘッダの高速ページングチャネルに含まれることができる。
【発明の効果】
【００３２】
本発明の技術的思想によれば、下記のような効果がある。
【００３３】
第一に、本発明の実施例を用いることによって、移動端末及び基地局は効率的なページングを行うことができる。
【００３４】
第二に、新しいページンググループ識別子及びページング指示フラグを用いることによって、移動端末は自身に向かうページング情報があるか否かを確認することができる。したがって、移動端末は、特定フレームでのみページングチャネルをモニタすることによって、率的に電力を運用することができる。
【００３５】
第三に、ページンググループ識別子及びページング指示フラグを含む新しいスーパーフレームヘッダ構造を用いることによって、移動端末及び基地局は効率的なデータ通信を行うことができる。また、移動端末の可用電力を最大化することができる。
【００３６】
第四に、ラージページンググループオフセット及びスモールページンググループオフセットを用いることによって、移動端末は、效率的にページングメッセージを受信することができる。すなわち、移動端末は、該当のオフセット期間にのみページングメッセージをモニタリングすることによって、別のページング周期には睡眠モードを維持することができる。したがって、移動端末は、効率的なページングを行うことができる。
【００３７】
以上で説明した発明の効果は、本発明の主な実施例による効果に過ぎず、これらの効果の他にも、本発明の実施例による付加的な効果がさらに得られることは当業者には自明である。
【図面の簡単な説明】
【００３８】
【図１】多数の基地局からなるページンググループの一例を示す図である。
【図２】移動端末のページング手順を示す図である。
【図３】本発明の一実施例による、ページング情報を含むスーパーフレームヘッダ構造の一例を示す図である。
【図４】本発明の一実施例による、ページング情報を含むスーパーフレームヘッダ構造の他の例を示す図である。
【図５】本発明の一実施例による、ページング情報を含むスーパーフレームヘッダ構造のさらに他の例を示す図である。
【図６】本発明の他の実施例によって、ページングオフセットを用いた電力最適化方法を示す図である。
【図７】本発明の他の実施例によって、ページング周期及びページングオフセットを用いる方法を示す図である。
【図８】本発明のさらに他の実施例によって、スモールページンググループ変更カウンター（ＳＰＧ  ｃｈａｎｇｅ  ｃｏｕｎｔｅｒ）を用いたページング方法を示す図である。
【発明を実施するための形態】
【００３９】
本発明は、無線接続システムにおいて効率的にページングを行う方法を対象とする。
【００４０】
下記の実施例は、本発明の構成要素及び特徴を所定の形態で結合したものである。各構成要素または特徴は、別の明示的な言及がない限り、選択的なものとして考慮することができる。各構成要素または特徴は、他の構成要素や特徴と結合しない形態で実施することもできる。また、一部の構成要素及び／または特徴を結合して本発明の実施例を構成することができる。本発明の実施例で説明される動作の順序は変更可能である。ある実施例の一部構成や特徴は、他の実施例に含まれることもでき、他の実施例の対応する構成または特徴に取って代わることもできる。
【００４１】
図面に関する説明において、本発明の要旨を曖昧にさせるとされる手順または段階などは説明を省略し、当業者のレベルで理解できるような手順または段階も説明を量略するものとする。
【００４２】
本明細書において、本発明の実施例は、基地局と移動端末間のデータ送受信関係を中心に説明された。ここで、基地局は、移動端末と直接的に通信を行うネットワークの終端ノード（ｔｅｒｍｉｎａｌ  ｎｏｄｅ）の意味を有する。本文書で、基地局により行われると説明された特定動作は、場合によっては、基地局の上位ノード（ｕｐｐｅｒ  ｎｏｄｅ）により行われることもできる。
【００４３】
すなわち、基地局を含む多数のネットワークノード（ｎｅｔｗｏｒｋ  ｎｏｄｅｓ）からなるネットワークにおいて移動端末との通信のために行われる種々の動作は、基地局または基地局以外の別のネットワークノードにより行われるむうること明らかである。‘基地局’は、固定局（ｆｉｘｅｄ  ｓｔａｔｉｏｎ）、Ｎｏｄｅ  Ｂ、ｅＮｏｄｅ  Ｂ（ｅＮＢ）、アクセスポイント（ａｃｃｅｓｓ  ｐｏｉｎｔ）などの用語に代替可能である。また、‘移動端末（ＭＳ：Ｍｏｂｉｌｅ  Ｓｔａｔｉｏｎ）’は、ＵＥ（Ｕｓｅｒ  Ｅｑｕｉｐｍｅｎｔ）、加入者端末（ＳＳ：Ｓｕｂｓｃｒｉｂｅｒ  Ｓｔａｔｉｏｎ）、ＭＳＳ（Ｍｏｂｉｌｅ  Ｓｕｂｓｃｒｉｂｅｒ  Ｓｔａｔｉｏｎ）、及び端末（Ｔｅｒｍｉｎａｌ）などの用語に代替可能である。
【００４４】
また、送信端は、データまたは音声サービスを転送するノードのことをいい、受信端は、データまたは音声サービスを受信するノードを意味する。したがって、アップリンクでは移動端末が送信端になり、基地局が受信端になることができる。同様に、ダウンリンクでは移動端末が受信端になり、基地局が送信端になることができる。
【００４５】
一方、本発明で、移動端末に、個人携帯端末機（ＰＤＡ：Ｐｅｒｓｏｎａｌ  Ｄｉｇｉｔａｌ  Ａｓｓｉｓｔａｎｔ）、セルラーフォン、個人通信サービス（ＰＣＳ：Ｐｅｒｓｏｎａｌ  Ｃｏｍｍｕｎｉｃａｔｉｏｎ  Ｓｅｒｖｉｃｅ）フォン、ＧＳＭ（Ｇｌｏｂａｌ  Ｓｙｓｔｅｍ  ｆｏｒ  Ｍｏｂｉｌｅ）フォン、ＷＣＤＭＡ（Ｗｉｄｅｂａｎｄ  ＣＤＭＡ）フォン、ＭＢＳ（Ｍｏｂｉｌｅ  Ｂｒｏａｄｂａｎｄ  Ｓｙｓｔｅｍ）フォン、ハンドヘルドＰＣ（Ｈａｎｄ−Ｈｅｌｄ  ＰＣ）、ノートブックＰＣ、スマート（Ｓｍａｒｔ）フォンまたはマルチモードマルチバンド（ＭＭ−ＭＢ：Ｍｕｌｔｉ  Ｍｏｄｅ−Ｍｕｌｔｉ  Ｂａｎｄ）端末機などが用いられることができる。
【００４６】
ここで、スマートフォンとは、移動通信端末機と個人携帯移動端末機の長所を混合した端末機であり、移動通信端末機に個人携帯端末機の機能である日程管理、ファックス送受信及びインターネット接続などのデータ通信機能を統合した端末機を意味することができる。また、マルチモードマルチバンド端末機とは、マルチモデムチップを内蔵して携帯インターネットシステム及び他の移動通信システム（例えば、ＣＤＭＡ（Ｃｏｄｅ  Ｄｉｖｉｓｉｏｎ  Ｍｕｌｔｉｐｌｅ  Ａｃｃｅｓｓ）２０００システム、ＷＣＤＭＡ（Ｗｉｄｅｂａｎｄ  ＣＤＭＡ）システム等）のいずれにおいても作動できる移動端末のことをいう。
【００４７】
本発明の実施例は様々な手段を通じて具現することができる。例えば、本発明の実施例は、ハードウェア、ファームウェア（ｆｉｒｍｗａｒｅ）、ソフトウェアまたはそれらの結合などにより具現することができる。
【００４８】
ハードウェアによる具現の場合、本発明の実施例に係る方法は、一つまたはそれ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサー、コントローラー、マイクロコントローラー、マイクロプロセッサーなどにより具現することができる。
【００４９】
ファームウェアやソフトウェアによる具現の場合、本発明の実施例に係る方法は、以上で説明された機能または動作を行うモジュール、手順または関数などの形態で具現することができる。ソフトウェアコードはメモリーユニットに記憶されてプロセッサーにより駆動されることができる。メモリーユニットは、プロセッサーの内部または外部に設けられて、既に公知の様々な手段によりプロセッサーとデータを交換することができる。
【００５０】
本発明の実施例は、無線接続システムであるＩＥＥＥ  ８０２システム、３ＧＰＰシステム、３ＧＰＰ  ＬＴＥシステム及び３ＧＰＰ２システムのうち少なくとも一つに開示された標準文書によりサポートされることができる。すなわち、本発明の実施例のうち、本発明の技術的思想を明確にするために説明を省略した段階または部分は、これらの文書によりサポートすることができる。また、本文書で開示している用語はいずれも上記の標準文書により説明されることができる。特に、本発明の実施例は、ＩＥＥＥ  ８０２．１６システムの標準文書であるＰ８０２．１６−２００４，Ｐ８０２．１６ｅ−２００５及びＰ８０２．１６Ｒｅｖ２文書のうちの一つ以上によりサポートされることができる。
【００５１】
以下の説明で使われる特定用語は、本発明の理解を助けるために提供されたものであり、このような特定用語の使用は、本発明の技術的思想を逸脱しない範囲で別の形態に変更することができる。
【００５２】
図２は、移動端末のページング手順を示す図である。
【００５３】
移動端末は、遊休モードに進入するためにサービング基地局に登録解除要請（ＤＲＥＧ−ＲＥＱ）メッセージを転送することができる。サービング基地局は、移動端末の遊休モード進入を許可するために登録解除命令（ＤＲＥＧ−ＣＭＤ）メッセージを移動端末に転送する。
【００５４】
サービング基地局は、ＤＲＥＧ−ＣＭＤメッセージにページング情報フィールドを含めて移動端末に転送する。ページング情報（Ｐａｇｉｎｇ  Ｉｎｆｏｒｍａｔｉｏｎ）フィールドは、ページング周期（Ｐａｇｉｎｇ  Ｃｙｃｌｅ）、ページングオフセット（Ｐａｇｉｎｇ  Ｏｆｆｓｅｔ）及びページング聴取区間（Ｐａｇｉｎｇ  Ｌｉｓｔｅｎｉｎｇ  Ｉｎｔｅｒｖａｌ）値などを含むことができる。移動端末はページング情報を用いて自身に伝達されるページングメッセージを受信することができる。移動端末はページングメッセージを受信するためにページング周期の間に無線チャネルをモニタする。ここで、ページング区間は、最小２フレームから最大５フレームの区間とすることができる。一つのＯＦＤＭＡフレームは、５ｍｓの大きさを有することができる。
【００５５】
以下では、本発明の技術的思想による様々な実施例について詳細に説明する。
【００５６】
本発明の実施例では、スモールページンググループ（ＳＰＧ：Ｓｍａｌｌ  Ｐａｇｉｎｇ  Ｇｒｏｕｐ）を新しく定義する。スモールページンググループ（ＳＰＧ）は、一般に用いられるページンググループよりも小さい大きさのページンググループを意味することができる。また、既存のページンググループに比べて相対的に大きい領域を持つラージページンググループ（ＬＰＧ：Ｌａｒｇｅ  Ｐａｇｉｎｇ  Ｇｒｏｕｐ）を新しく定義する。この時、本発明の実施例において、ＳＰＧは、主ページンググループ（Ｐｒｉｍａｒｙ  Ｐａｇｉｎｇ  Ｇｒｏｕｐ）と呼ばれることができ、ＬＰＧは、副ページンググループ（Ｓｍａｌｌ  Ｐａｇｉｎｇ  Ｇｒｏｕｐ）と呼ばれることができる。また、ページンググループの割当順序に従ってまず設定されるページンググループを主ページンググループと呼ぶことができ、次に割り当てられるページンググループを副ページンググループと呼ぶことができる。
【００５７】
例えば、既存のページンググループには一つ以上のＳＰＧが含まれることができ、ＬＰＧには、一つ以上の既存ページンググループが含まれることができる。また、ＬＰＧ内には一つ以上のＳＰＧが含まれることができ、ＳＰＧには、一つ以上の基地局が含まれることができる。ＬＰＧ及びＳＰＧの大きさは、ユーザの要求事項またはチャネル環境にしたがって変わることがある。
【００５８】
本発明の実施例において、移動端末が特定ＳＰＧ内にある場合には、ページング制御機（ＰＣ：Ｐａｇｉｎｇ  Ｃｏｎｔｒｏｌｌｅｒ）は、該当の特定ＳＰＧ内の基地局にのみページングメッセージを転送することができる。したがって、他のＳＰＧに属する移動端末がページングメッセージをモニタリングするために消耗する電力を減らすことができる。
【００５９】
もちろん、移動端末が所定のＳＰＧに存在しない場合には、ラージページンググループ（ＬＰＧ）に含まれている全基地局にページングメッセージを転送することができる。また、本発明では、二つのページンググループ識別子（例えば、ＬＰＧＩＤ及びＳＰＧＩＤ）を新しく定義する。また、移動端末が一つ以上の多重ページンググループ（Ｍｕｌｔｉｐｌｅ  Ｐａｇｉｎｇ  Ｇｒｏｕｐ）に属する場合（例えば、一つ以上のＬＰＧ及び一つ以上のＳＰＧに属する場合）、基地局は、それぞれのページンググループによる多重ページングオフセット（Ｍｕｌｔｉｐｌｅ  Ｐａｇｉｎｇ  Ｇｒｏｕｐ）を設定することができる。この場合、多重ページングオフセットには、一つ以上のスモールページンググループオフセット（ＳＰＧ  Ｏｆｆｓｅｔ）値及び／または一つ以上のラージページンググループオフセット（ＬＰＧ  Ｏｆｆｓｅｔ）値が含まれることができる。
【００６０】
したがって、基地局は、ＳＰＧ  ＩＤ、ＳＰＧ  Ｏｆｆｓｅｔ、ＬＰＧ  ＩＤ及びＬＰＧ  Ｏｆｆｓｅｔのうち一つ以上を各移動端末に割り当てて知らせることができ、全ての移動端末は、特定ＳＰＧ  ＩＤ、スモールページンググループオフセット（ＳＰＧ  ｏｆｆｓｅｔ）、ＬＰＧ  ＩＤ及びラージページンググループオフセット（ＬＰＧ  ｏｆｆｓｅｔ）を用いてページングメッセージを送受信することができる。
【００６１】
本発明の実施例で使用されるスーパーフレームは４個のフレームで構成され、２０ｍｓの大きさを持つことができる。また、１フレームは８個のサブフレームで構成されることができる。ただし、スーパーフレームはサブフレームでのみ構成されることもできる。
【００６２】
スーパーフレームの１番目のサブフレームにはスーパーフレームに対するスケジューリング情報を含むスーパーフレームヘッダ（ＳＦＨ：Ｓｕｐｅｒ  Ｆｒａｍｅ  Ｈｅａｄｅｒ）が割り当てられることができる。また、スーパーフレームヘッダ（ＳＦＨ）は、同期チャネル（Ｓｙｎｃｈｒｏｎｉｚｅｄ  Ｃｈａｎｎｅｌ）及び放送チャネル（ＢＣＨ：Ｂｒｏａｄｃａｓｔ  Ｃｈａｎｎｌ）領域を含むことができる。
【００６３】
１．効率的なページングのためのスーパーフレームヘッダ構造 
図３は、本発明の一実施例による、ページング情報を含むスーパーフレームヘッダ構造の一例を示す図である。
【００６４】
図３は、一つの放送チャネル（ＢＣＨ）を用いてページング情報を移動端末に伝達することができるスーパーフレームヘッダ構造を示す。図３を参照すると、スーパーフレームヘッダは、同期チャネル（Ｓｙｎｃ．Ｃｈａｎｎｅｌ）フィールド及び放送チャネル（ＢＣＨ）フィールドを含むことができる。放送チャネル（ＢＣＨ）フィールドにはページング情報（Ｐａｇｉｎｇ  Ｉｎｆｏｒｍａｔｉｏｎ）などを含むことができる。
ここで、ページング情報には、スモールページンググループ識別子（ＳＰＧ  ＩＤ：Ｓｍａｌｌ  Ｐａｇｉｎｇ  Ｇｒｏｕｐ  Ｉｄｅｎｔｉｆｉｅｒ）、ＳＰＧオフセット（ＳＰＧ  ｏｆｆｓｅｔ）、ラージページンググループ識別子（ＬＰＧ  ＩＤ：Ｌａｒｇｅｒ  Ｐａｇｉｎｇ  Ｇｒｏｕｐ  Ｉｄｅｎｔｉｆｉｅｒ）及びＬＰＧオフセット（ＬＰＧ  ｏｆｆｓｅｔ）が含まれることができる。ＬＰＧ  ＩＤ及びＳＰＧ  ＩＤは、現在移動端末が属しているＬＰＧ及びＳＰＧを表す。
【００６５】
また、図３でページング情報は、ＳＰＧページング指示フラグ（ＳＰＧＦ：ＳＰＧ  ｐａｇｉｎｇ  ｉｎｄｉｃａｔｏｒ  Ｆｌａｇ）及びＬＰＧページング指示フラグ（ＬＰＧＦ：ＬＰＧ  ｐａｇｉｎｇ  ｉｎｄｉｃａｔｏｒ  Ｆｌａｇ）をさらに含むことができる。ＬＰＧページング指示フラグ（ＬＰＧＦ）及びＳＰＧページング指示フラグ（ＳＰＧＦ）は、特定ＬＰＧまたは特定ＳＰＧに属している移動端末に対するページングメッセージが存在するか否かを表す。
【００６６】
すなわち、移動端末は、スーパーフレームヘッダのページング情報フィールドに含まれたＳＰＧ  ＩＤ及び／またはＬＰＧ  ＩＤを確認して、自身のＳＰＧ及び／またはＬＰＧがわかる。また、移動端末は、ＳＰＧＦ及び／またはＬＰＧＦを通じて自身に向かうページングメッセージが存在する否かがわかる。
【００６７】
図４は、本発明の一実施例による、ページング情報を含むスーパーフレームヘッダ構造の他の例を示す図である。
【００６８】
図４を参照すると、スーパーフレームヘッダは、同期チャネル（Ｓｙｎｃ．Ｃｈａｎｎｅｌ）、高速ページングチャネル（ＱＰＣＨ：Ｑｕｉｃｋ  Ｐａｇｉｎｇ  Ｃｈａｎｎｅｌ）及び放送チャネル（ＢＣＨ）を含むことができる。ここで、基地局及び／またはページング制御機は、ＱＰＣＨにＬＰＧＦ及び／またはＳＰＧＦを含めて移動端末に転送することができる。また、基地局及び／またはページング制御機は、ＢＣＨにＳＰＧ  ＩＤ及び／またはＬＰＧ  ＩＤを含めて移動端末に転送することができる。
【００６９】
すなわち、移動端末は、ＱＰＣＨを通じて自身に向かうページングメッセージが存在するか否かがあらかじめわかる。したがって、移動端末はページングメッセージをモニタする時間を画期的に減らすことによって、移動端末の電力消費を低減することができる。
【００７０】
図５は、本発明の一実施例による、ページング情報を含むスーパーフレームヘッダ構造のさらに他の例を示す図である。
【００７１】
図５で、サービング基地局は、スーパーフレームヘッダ（ＳＦＨ）にラージページンググループ識別子（ＬＰＧ  ＩＤ）及びスモールページンググループ識別子（ＳＰＧ  ＩＤ）を割り当てることができる。また、サービング基地局は、ＬＰＧページング指示フラグ（ＬＰＧＦ）及びＳＰＧページング指示フラグ（Ｓｐｇｆ）をスーパーフレームヘッダに割り当てることができる。
【００７２】
図５を参照すると、ＳＦＨは、同期チャネルフィールド及び放送チャネルフィールドを含むことができる。ここで、放送チャネル（ＢＣＨ）フィールドを、機能によって一つ以上の領域に区別することができる。本発明の一実施例では、ＢＣＨフィールドが好ましくは２つの領域に区分されて使用される場合を仮定する。例えば、放送チャネルフィールドは、単一周波数搬送網放送チャネル（ＳＦＮＢＣＨ：Ｓｉｎｇｌｅ  Ｆｒｅｑｕｅｎｃｙ  Ｎｅｔｗｏｒｋ  ＢＣＨ）及びセル特定放送チャネル（ＣＳＢＣＨ：Ｃｅｌｌ  Ｓｐｅｃｉｆｉｃ  ＢＣＨ）を含むことができる。
【００７３】
ＳＦＮ放送チャネル（ＳＦＮＢＣＨ）は、単一周波数を使用する搬送網を用いる放送チャネルであり、セル特定放送チャネル（ＣＳＢＣＨ）は、特定セルにのみ有効な情報を含む放送チャネルである。ただし、放送チャネルは、ユーザの要求事項またはチャネル環境にしたがって３つ以上の領域に分割して使用することができる。
【００７４】
ＳＦＮ放送チャネル及びセル特定放送チャネルはそれぞれページング情報（Ｐａｇｉｎｇ  Ｉｎｆｏｒｍａｔｉｏｎ）を含むことができる。ＳＦＮ放送チャネルのページング情報には、ＬＰＧ  ＩＤ、ＬＰＧオフセット及びＬＰＧＦを含むことができ、セル特定放送チャネルのページング情報には、ＳＰＧ  ＩＤ、ＳＰＧオフセット及びＳＰＧＦを含むことができる。
【００７５】
基地局でＳＦＮ放送チャネルのページング情報フィールドにＬＰＧ  ＩＤ、ＬＰＧオフセット及びＬＰＧＦを含める理由は下記の通りである。
【００７６】
（１）ＳＦＮ方式は、広い範囲で同一の周波数で同一のデータを同一の変調方式で転送することができる。したがって、ＳＦＮ方式を用いる放送チャネル領域に含まれる情報は、ラージページンググループ内の全ての移動端末が共通に使用できる情報とすることが好ましい。
【００７７】
（２）ＬＰＧに属している全ての基地局が、ＳＦＮ放送チャネル領域に含まれる情報をＳＦＮ方式を用いて（例えば、同一の周波数を用いて）放送することによって、ビット誤り率を改善することができる。
【００７８】
（３）ＬＰＧ内の全ての基地局がＳＦＮ方式を用いて同一の周波数でＳＦＮ放送チャネルの情報を放送する場合、ＬＰＧ  ＩＤは、単一周波数搬送網識別子（ＳＦＮ  ＩＤ）として用いることができる。また、基地局がＬＰＧＦをＳＦＮ放送チャネルを通じて転送することによって、ＬＰＧ領域に属している移動端末は、自身に向かうページングメッセージが存在するか否かを認識することができる。
【００７９】
基地局でセル特定放送チャネルのページング情報フィールドにＳＰＧ  ＩＤ、ＳＰＧオフセット及びＳＰＤＦを割り当てりた理由は、下記の通りである。
【００８０】
（１）セル特定ＢＣＨに含まれる情報は、特定セルにのみ有効な情報であるから、特定セルに含まれている移動移動端末のみ使用できる情報とすることが好ましい。ＳＰＧは、少数の基地局を制御する小領域（ｓｍａｌｌ  ａｒｅａ）と定義することができる。したがって、ＳＰＧ内に存在する移動端末は、ＬＰＧ内の全ての基地局ではなく、ＳＰＧ内の基地局からのみ特定情報を受信すれば充分である。
【００８１】
（２）移動端末がそれぞれ異なるＳＰＧに移動する場合、位置更新のために特定ＳＰＧに対する特定ＳＰＧ  ＩＤが必要である。したがって、ＳＰＧ単位の管理識別子が必要である。この時、同一のＳＰＧ内の全ての基地局は、同一のＳＰＧ  ＩＤを持つことができる。
【００８２】
（３）セル特定ＢＣＨにＳＰＧＦを含めることによって、所定のＳＰＧ領域に含まれている移動端末は、自身に向かうページングメッセージが存在することがわかるる。したがって、ＬＰＧ内の全ＳＰＧに含まれている移動端末が全部ページング周期の間にページングメッセージをモニタする必要があるわけではなく、特定ＳＰＧに含まれている移動端末のみがページングメッセージをモニタすればよい。
【００８３】
ただし、ユーザの要求事項やチャネル環境またはその他の通信環境によって、ＬＰＧ  ＩＤ、ＬＰＧオフセット及びＬＰＧＦは、セル特定ＢＣＨのページング情報フィールドに含まれることができ、ＳＰＧ  ＩＤ、ＳＰＧオフセット及びＳＰＧＦもＳＦＮ放送チャネル領域のページング情報フィールドに含まれることができる。
【００８４】
２．ページングオフセットを用いた移動端末の電力最適化方法 
本発明の他の実施例ではページングオフセットを新しく定義する。例えば、既存のページングオフセットの他に、ＬＰＧ及びＳＰＧによるＬＰＧオフセット（ＬＰＧ  ｏｆｆｓｅｔ）及びＳＰＧオフセット（ＳＰＧ  ｏｆｆｓｅｔ）を定義する。
【００８５】
図６は、本発明の他の実施例によってページングオフセットを用いた電力最適化方法を示す図である。
【００８６】
移動端末は、遊休モードに進入するためにサービング基地局に登録解除要請（ＤＲＥＧ−ＲＥＱ）メッセージを転送する（Ｓ６０１）。
【００８７】
サービング基地局は、移動端末の遊休モード進入を承認するために登録解除命令（ＤＲＥＱ−ＣＭＤ）メッセージを移動端末に転送する（Ｓ６０２）。
【００８８】
この時、ＤＲＥＧ−ＣＭＤメッセージには、ページング情報フィールドが含まれることができる。ページング情報フィールドには遊休モードの移動端末がページングメッセージを受信するための情報が含まれる。下記の表１には、本発明の実施例で用いることができるページング情報フィールドフォーマットの一例を表す。
【００８９】
【表１】
2011524109.tif 000003
表１を参照すると、ページング情報フィールドは、ページング周期（Ｐａｇｉｎｇ  Ｃｙｃｌｅ）、ページング周期インデックス（Ｐａｇｉｎｇ  ｃｙｃｌｅｄ  ｉｎｄｅｘ）、ＬＰＧオフセット（Ｌａｒｇｅ  Ｐａｇｉｎｇ  Ｇｒｏｕｐ  Ｏｆｆｓｅｔ）、ＳＰＧオフセット（Ｓｍａｌｌ  Ｐａｇｉｎｇ  Ｇｒｏｕｐ  Ｏｆｆｓｅｔ）、ＬＰＧ識別子（ＬＰＧ  ＩＤ）及びＳＰＧ識別子（ＳＰＧ  ＩＤ）を含むことができる。また、ユーザ要求またはチャネル状況に応じてＳＰＧ変更カウント（ＳＰＧ  Ｃｈａｎｇｅ  Ｃｏｕｎｔ）パラメータをさらに含むことができる。ＳＰＧ変更カウントについては後述する。
【００９０】
表１で、ページング周期は、ページンググループ内でページングメッセージの転送される周期を表す。ページング周期インデックスは、ページングメッセージの転送される周期を表す。ＬＰＧオフセットは、ページング周期内で、ＬＰＧに含まれている移動端末に対するページングメッセージが転送される周期を表す。ＬＰＧオフセットは、ページング周期値よりも小さいものとすることが好ましい。ＳＰＧオフセットは、ページング周期内で、ＳＰＧに含まれている移動端末に対するページングメッセージが転送される周期を表す。ＳＰＧオフセットも同様、ページング周期より小さいものとすることが好ましい。ここで、ＬＰＧ及びＳＰＧの性質上、ＳＰＧオフセットはＬＰＧオフセットより小さなことが好ましい。
【００９１】
また、ＤＲＥＧ−ＣＭＤメッセージは、移動端末が遊休モードに進入する当時のページンググループに関する識別子情報をさらに含むことができる。表１で、ＬＰＧ  ＩＤ及びＳＰＧ  ＩＤは、移動端末が遊休モードに進入する当時に移動端末の含まれているＬＰＧ及びＳＰＧを表す。本発明の実施例において、移動端末は一つ以上の多重ページンググループ（例えば、一つ以上のＬＰＧ及びＳＰＧ）に含まれることができる。
【００９２】
表１で、ＳＰＧ変更カウントは、移動端末が移動することにしたがって変更されるＳＰＧ領域の回数を表す。表１のページング情報は、ＤＲＥＧ−ＣＭＤメッセージに含まれるが、移動端末が位置更新時にターゲット基地局に転送するレンジング応答（ＲＮＧ−ＲＳＰ）メッセージにも含まれることができる。
【００９３】
再び図６を参照すると、移動端末は、基地局から遊休モード状態でページングメッセージを受信するのに必要なページング情報を受信した。したがって、移動端末は、ＤＲＥＧ−ＣＭＤメッセージを受信した後に睡眠モードに進入して電力消耗を最小化する。
【００９４】
その後、移動端末に割り当てられたページング周期内で、移動端末は、現在属しているスモールページンググループに対するＳＰＧオフセット値を用いてページングチャネルをモニタリングする。この時、移動端末は、ＳＰＧオフセット値でページングメッセージの受信を待つ。ただし、現在は移動端末に向かうページングメッセージがない場合である。したがって、移動端末は再び睡眠モードに進入する。
【００９５】
その後、移動端末は、自身のＳＰＧオフセット値で再びページングメッセージをモニタリングする。この時、ページング制御機（ＰＣ）に呼または外部ユーザデータが発生すると、ページング制御機は、移動端末の属している基地局にページングメッセージを転送する（Ｓ６０３）。
【００９６】
基地局は、移動端末にＭＯＢ＿ＰＡＧ−ＡＤＶメッセージを通じてページングメッセージを転送する（Ｓ６０４）。
【００９７】
移動端末は、ＳＰＧオフセットによって所定の時間の間にページングチャネルをモニタリングし、この時、ページングメッセージを受信したので、正常モードに戻って基地局とデータ通信を行うことができる。
【００９８】
図６では、ＳＰＧオフセットを用いる場合を例に取った。ただし、ユーザの要求事項またはチャネル環境によってＬＰＧオフセットを用いることもできる。もちろん、ＳＰＧオフセット及びＬＰＧオフセット値を共に用いることもできる。例えば、移動端末がＳＰＧ領域を外れた場合にＬＰＧオフセット値を用いてページングメッセージをモニタすることができる。
【００９９】
他の例として、移動端末が特定ＳＰＧに属している状態で、特定ＳＰＧ領域と別のＳＰＧ領域間を繰り返し移動することによって移動端末がＬＰＧ領域にページンググループを変更する場合が発生しうる。このような場合には、移動端末は、それ以上ＳＰＧオフセット値を用いずに、ＬＰＧオフセット値を用いてページングメッセージを受信することができる。
【０１００】
図７は、本発明の他の実施例によるページング周期及びページングオフセットを用いる方法を示す図である。
【０１０１】
図７を参照すると、一つ以上の移動端末は、互いに同一のまたは異なるページンググループに属することができる。例えば、移動端末Ａ及び移動端末Ｂは、互いに異なるＳＰＧに含まれ、移動端末Ｃ及び移動端末Ｄは互いに異なるＬＰＧに含まれることがある。また、図７は、ＳＰＧオフセットとＬＰＧオフセットの値を別々に割り当てる場合とする。図７で、各移動端末は、現在遊休状態におり、ページングメッセージを受信するためのページング情報は、図６のＤＲＥＧ−ＣＭＤメッセージを通じて獲得したとする。
【０１０２】
したがって、各移動端末は、自分に割り当てられたオフセット値でページングメッセージをモニタリングすることによって電力消耗を最小化することができる。すなわち。各移動端末は、ページングメッセージの存在有無を確認するためにスーパーフレームヘッダをデコーディング（Ｄｅｃｏｄｉｎｇ）する周期を縮めることによって電力消耗を最小化することができる。
【０１０３】
図７で、各移動端末は、自身のページンググループに該当するスーパーフレームヘッダのみをデコーディングする。例えば、移動端末Ａは、ページング周期と移動端末ＡのＳＰＧオフセットを用いてスーパーフレームヘッダをデコーディングする周期を調節することができる。また、移動端末Ｃは、ページング周期とＬＰＧオフセットを用いてスーパーフレームヘッダをデコーディングする周期を調節することができる。もちろん、移動端末Ｂ及び移動端末Ｄも自身に割り当てられたＳＰＧオフセットまたはＬＰＧオフセット値を用いて該当のオフセット値でスーパーフレームヘッダをデコーディングすることができる。
【０１０４】
また、図７で、各移動端末は、ページング情報に含まれたページング周期インデックス（Ｐａｇｉｎｇ  Ｃｙｃｌｅ  Ｉｎｄｅｘ）によって各移動端末がページングメッセージを受信する周期を調整することができる。
【０１０５】
例えば、ページング周期インデックス値が‘０’の場合、移動端末は、１回のページング周期に１回のみページングメッセージに応答することができる。ページング周期インデックス値が‘１’の場合、移動端末は、２回のページング周期に１回ずつページングメッセージに応答するように設定することができる。また、ページング周期インデックス値が‘２’の場合、３回のページング周期に１回のみページングメッセージに応答するように設定することができる。
【０１０６】
したがって、ページング周期インデックス値が大きいほど移動端末の消費電力は減るが、ページング周期インデックス値が小さい時に比べて、ページングメッセージを成功的にデコーディングする確率は低くなる。
【０１０７】
図７で、ページング周期インデックスの値は種々の方法で設定することができる。例えば、所定のビットを用いて固定されたページング周期を割り当てることができる。また、ビットマップ値（例えば、０ｂ０００００００／０００）を用いて特定オフセットの位置を表すことができる。
【０１０８】
３．ＳＰＧ変更カウンターを用いたページング方法 
図８は、本発明のさらに他の実施例による、スモールページンググループ変更カウンター（ＳＰＧ  ｃｈａｎｇｅ  ｃｏｕｎｔｅｒ）を用いたページング方法を示す図である。
【０１０９】
図８で、移動端末が特定ＳＰＧ内に含まれる場合には、ページング制御機から特定ＳＰＧ内の基地局にのみページングメッセージを転送することによって、他のＳＰＧの移動端末の電力消耗を減らすことができる。もちろん、移動端末が所定ＳＰＧに含まれていない場合にはラージページンググループ（ＬＰＧ）に含まれた全ての基地局にページングメッセージを転送することができる。
【０１１０】
また、図８では、２つのページンググループ識別子（例えば、ＬＰＧ  ＩＤ及びＳＰＧ  ＩＤ）を定義する。したがって、全ての移動端末が特定ＳＰＧ  ＩＤ及びＬＰＧ  ＩＤを有し、ページング制御機がページングメッセージを伝達する時に使用することができる。例えば、移動端末は、特定ＳＰＧ領域ではＳＰＧ識別子及びＳＰＧオフセット値を用いてページングメッセージを受信することができ、ＳＰＧ領域を外れたＬＰＧ領域ではＬＰＧ識別子及びＬＰＧオフセット値を用いてページングメッセージを受信することができる。この場合には、移動端末は選択的に位置更新を行うことができる。
【０１１１】
図８の移動端末は、ＳＰＧを変更する場合に位置更新を行う。ただし、移動端末が他のＳＰＧに移動する度に位置更新を行う場合、位置更新シグナリングオーバーヘッドが発生することがある。
【０１１２】
そこで、本発明のさらに他の実施例では、移動端末は所定のスモールページンググループ変更カウンター（例えば、ＳＰＧ  ｃｈａｎｇｅ  Ｃｏｕｎｔｅｒ）を設定して、最大回数（Ｎ）のみ位置更新を行うことができる。すなわち、移動端末が最大Ｎ回まで他のＳＰＧに移動すると、ページング制御機は、特定ＳＰＧではなく、ＬＰＧ内の全ての基地局にページングメッセージを転送することができる。
【０１１３】
図８を参照すると、移動端末がＳＰＧ領域を移動する時、最大Ｎ回まで位置更新を行い、それ以後は、移動端末のページンググループをＬＰＧに変更することができる。高速の移動端末がＳＰＧを変更する度に位置更新を行うとシグナリングオーバーヘッドの発生につながることがあるわけである。
【０１１４】
したがって、移動端末がＳＰＧを最大Ｎ回移動していない場合には、ページング制御機は、移動端末のＳＰＧ  ＩＤを確認して該当のＳＰＧにページングメッセージを転送する。しかし、移動端末が最大Ｎ回までＳＰＧを移動した場合には、ページング制御機は、特定ＳＰＧではなくＬＰＧにページングメッセージを転送することができる。
【０１１５】
本発明の実施例で、移動端末、基地局及び／またはページング制御機は、ＳＰＧ変更カウンターを含むことができる。したがって、移動端末、基地局及び／またはページング制御機は、ＳＰＧ変更カウンター値がページンググループを変更する条件（最大Ｎ回変更）を満たした場合、移動端末、基地局及び／またはページング制御機でページンググループの変更を試みることができる。
【０１１６】
図８で、移動端末がＳＰＧを最大Ｎ回変更した場合、その時点から移動端末は自身のページンググループを特定ＳＰＧからＬＰＧに変更する。そして、移動端末は、ＳＰＧオフセットではなくＬＰＧオフセットを用いてスーパーフレームヘッダをデコーディングすることができる（図６または図７参照）。
【０１１７】
参考として、ページング制御機は、位置更新過程で基地局から受信するメッセージに含まれているＳＰＧ変更カウントを確認することによって、移動端末のＳＰＧ領域の変更有無が確認できる。また、移動端末は、位置更新過程で基地局から受信するＲＮＧ−ＲＳＰメッセージのページング情報フィールド内のＳＰＧ変更カウント値から確認することができる。
【０１１８】
本発明のさらに他の実施例として、上記の本発明の実施例が行われる移動局及び基地局について説明する。
【０１１９】
移動局は、アップリンクでは送信機として動作し、ダウンリンクでは受信機として動作することができる。また、基地局は、アップリンクでは受信機として動作し、ダウンリンクでは送信機として動作することができる。すなわち、移動局及び基地局は、情報またはデータの転送のために送信機及び受信機を含むことができる。
【０１２０】
送信機及び受信機は、本発明の実施例を行うためのプロセッサー、モジュール、部分及び／または手段などを含むことができる。特に、送信機及び受信機は、メッセージを暗号化するためのモジュール（手段）、暗号化されたメッセージを解析するためのモジュール、メッセージを送受信するためのアンテナなどを含むことができる。
【０１２１】
本発明の実施例で用いられる移動局は、低電力ＲＦ（Ｒａｄｉｏ  Ｆｒｅｑｕｅｎｃｙ）／ＩＦ（Ｉｎｔｅｒｍｅｄｉａｔｅ  Ｆｒｅｑｕｅｎｃｙ）モジュールを含むことができる。また、移動局は、上述した本発明の実施例を行うためのコントローラー機能、サービス特性及び電波環境によるＭＡＣ（Ｍｅｄｉｕｍ  Ａｃｃｅｓｓ  Ｃｏｎｔｒｏｌ）フレーム可変制御機能、ハンドオーバー（ＨａｎｄＯｖｅｒ）機能、認証及び暗号化機能、データ転送のためのパケット変復調機能、高速パケットチャネルコーディング機能及び実時間モデム制御機能などを行う手段、モジュールまたは部分などを含むことができる。
【０１２２】
基地局は、上位階層から受信したデータを、無線または有線で移動局に転送することができる。基地局は、低電力ＲＦ（Ｒａｄｉｏ  Ｆｒｅｑｕｅｎｃｙ）／ＩＦ（Ｉｎｔｅｒｍｅｄｉａｔｅ  Ｆｒｅｑｕｅｎｃｙ）モジュールを含むことができる。また、基地局は、上述した本発明の実施例を行うためのコントローラー機能、直交周波数分割多重接続（ＯＦＤＭＡ：Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）パケットスケジューリング、時分割デュプレックス（ＴＤＤ：Ｔｉｍｅ  Ｄｉｖｉｓｉｏｎ  Ｄｕｐｌｅｘ）パケットスケジューリング及びチャネル多重化機能、サービス特性及び電波環境によるＭＡＣフレーム可変制御機能、高速トラフィック実時間制御機能、ハンドオーバー機能、認証及び暗号化機能、データ転送のためのパケット変復調機能、高速パケットチャネルコーディング機能及び実時間モデム制御機能などを行う手段、モジュールまたは部分などを含むことができる。
【０１２３】
本発明は、本発明の精神及び必須特徴を逸脱しない範囲で様々な特定の形態に具体化することができる。したがって、上記の詳細な説明はいずれの面においても制約的に解釈されてはならず、例示的なものとして考慮しなければならない。本発明の範囲は、添付の請求項の合理的解釈によって決定されなければならず、よって、本発明の等価的範囲内における変更はいずれも本発明の範囲に含まれる。また、特許請求の範囲で明示的な引用関係を有しない請求項を結合して実施例を構成したり出願後の補正により新しい請求項として含めることができる。
【産業上の利用可能性】
【０１２４】
本発明の実施例は、様々な無線接続システムに適用することができる。様々な無線接続システムの一例として、３ＧＰＰ（３ｒｄ  Ｇｅｎｅｒａｔｉｏｎ  Ｐａｒｔｎｅｒｓｈｉｐ  Ｐｒｏｊｅｃｔ）、３ＧＰＰ２及び／またはＩＥＥＥ  ８０２．ｘｘ（Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓ  ８０２）システムなどがある。本発明の実施例は、上記の様々な無線接続システムの他に、これら様々な無線接続システムを応用した技術分野のいずれにも適用することができる。
【図１】
2011524109.tif 000004
【図２】
2011524109.tif 000005
【図３】
2011524109.tif 000006
【図４】
2011524109.tif 000007
【図５】
2011524109.tif 000008
【図６】
2011524109.tif 000009
【図７】
2011524109.tif 000010
【図８】
2011524109.tif 000011
【手続補正書】
【提出日】平成22年11月26日(2010.11.26)
【手続補正１】
【補正対象書類名】明細書
【補正対象項目名】００３１
【補正方法】変更
【補正の内容】
【００３１】
上記の本発明のさらに他の様態において、スーパーフレームヘッダの放送チャネルを、単一周波数搬送網放送チャネル領域及びセル特定放送チャネル領域に区別することができる。ここで、ラージページンググループ識別子、ラージページンググループオフセット及びラージページンググループフラグは、放送チャネルの単一周波数搬送網放送チャネル領域に含まれることができる。また、スモールページンググループ識別子、スモールページンググループオフセット及びスモールページンググループフラグは、放送チャネルのセル特定放送チャネル領域に含まれることができる。ここで、移動端末に対するページングメッセージの有無を指示するラージページンググループフラグ及びスモールページンググループフラグは、スーパーフレームヘッダの高速ページングチャネルに含まれることができる。
（項目１）
遊休モードの移動端末に対するページング方法であって、
前記移動端末の位置しているページンググループに対するラージページンググループ識別子及びスモールページンググループ識別子を前記ヘッダに割り当て、
前記移動端末に対するページングメッセージの有無を指示するラージページンググループフラグ及びスモールページンググループフラグを前記ヘッダに割り当て、
前記ヘッダを前記遊休モードの移動端末に転送すること、
を含む、ページング方法。
（項目２）
前記ヘッダはスーパーフレームヘッダに含まれ、
前記ラージページンググループ識別子及び前記スモールページンググループ識別子は、前記スーパーフレームヘッダの放送チャネル（ＢＣＨ）に割り当てられることを特徴とする、項目１に記載のページング方法。
（項目３）
前記ラージページンググループフラグ及び前記スモールページンググループフラグは、前記スーパーフレームヘッダの前記放送チャネル（ＢＣＨ）に割り当てられることを特徴とする、項目２に記載のページング方法。
（項目４）
前記ラージページンググループフラグ及び前記スモールページンググループフラグは、前記スーパーフレームヘッダの高速ページングチャネル（ＱＰＣＨ）に割り当てられることを特徴とする、項目２に記載のページング方法。
（項目５）
前記ラージページンググループ識別子は、前記放送チャネルのうち、単一周波数搬送網を用いる放送チャネル領域に含まれ、
前記スモールページンググループ識別子は、前記放送チャネルのうち、セル特定放送チャネル領域に含まれることを特徴とする、項目２に記載のページング方法。
（項目６）
前記ラージページンググループフラグは、前記放送チャネルのうち、単一周波数搬送網を用いる放送チャネル領域に含まれ、
前記スモールページンググループ識別子は、前記放送チャネルのうち、セル特定放送チャネル領域に含まれることを特徴とする、項目３に記載のページング方法。
（項目７）
遊休モードの移動端末のページング方法であって、
前記移動端末の属しているページンググループに対するラージページンググループ識別子、ラージページンググループオフセット、スモールページンググループ識別子及びスモールページンググループオフセットのうち一つ以上を含むページング情報を受信し、
前記移動端末が前記スモールページンググループ識別子及び前記スモールページンググループオフセットを用いてスモールページンググループで所定の無線リソースをデコーディングし、
前記移動端末が前記スモールページンググループからラージページンググループへ移動し、
前記移動端末が前記ラージページンググループで前記ラージページンググループオフセット及び前記ラージページンググループオフセットを用いてページングメッセージを受信すること、
を含む、ページング方法。
（項目８）
前記ページング情報は、スーパーフレームヘッダ（ＳＦＨ）及び登録解除命令（ＤＲＥＧ−ＣＭＤ）メッセージのうちの一つに含まれて転送されることを特徴とする、項目７に記載のページング方法。
（項目９）
前記ラージページンググループ識別子、前記ラージページンググループオフセット、前記スモールページンググループ識別子及び前記スモールページンググループオフセットは、前記スーパーフレームヘッダの放送チャネル（ＢＣＨ）領域に含まれることを特徴とする、項目８に記載のページング方法。
（項目１０）
前記放送チャネル領域は前記移動端末に対するページングメッセージの有無を指示するラージページンググループフラグ及びスモールページンググループフラグをさらに含むことを特徴とする、項目９に記載のページング方法。
（項目１１）
前記放送チャネルは、単一周波数搬送網放送チャネル領域及びセル特定放送チャネル領域を含み、
前記ラージページンググループ識別子、前記ラージページンググループオフセット及び前記ラージページンググループフラグは、前記単一周波数搬送網放送チャネル領域に含まれ、
前記スモールページンググループ識別子、前記スモールページンググループオフセット及び前記スモールページンググループフラグは、前記セル特定放送チャネル領域に含まれることを特徴とする、項目１０に記載のページング方法。
（項目１２）
前記スーパーフレームヘッダは、高速ページングチャネルをさらに含み、
前記移動端末に対する前記ページングメッセージの有無を指示するラージページンググループフラグ及びスモールページンググループフラグは、前記高速ページングチャネルに含まれることを特徴とする、項目９に記載のページング方法。
（項目１３）
遊休モードの移動端末に対する効率的なページング方法であって、
ページング周期を決定するページング周期インデックス、ページンググループオフセット及びページンググループ識別子を含む第１ページング情報を受信し、
前記ページング周期インデックス及び前記ページンググループオフセットを用いて所定の期間の間に第２ページング情報を含むヘッダを受信し、
前記第２ページング情報を用いてページングメッセージを受信すること、
を含む、ページング方法。
（項目１４）
前記ページンググループオフセットは、ラージページンググループオフセット及びスモールページンググループオフセットを含み、
前記ページンググループ識別子は、ラージページンググループ識別子及びスモールページンググループ識別子を含むことを特徴とする、項目１３に記載のページング方法。
（項目１５）
前記第１ページング情報は、ページング周期及びスモールページンググループ変更カウンターをさらに含むことを特徴とする、項目１４に記載のページング方法。
（項目１６）
前記第２ページング情報の含まれているヘッダはスーパーフレームヘッダであり、
前記移動端末が現在属しているラージページンググループ識別子及びスモールページンググループ識別子は、前記スーパーフレームヘッダの放送チャネルに含まれることを特徴とする、項目１４に記載のページング方法。
【手続補正２】
【補正対象書類名】特許請求の範囲
【補正対象項目名】全文
【補正方法】変更
【補正の内容】
【特許請求の範囲】
【請求項１】
無線接続システムにおける端末のページング方法であって、
端末が第１基地局から前記端末に割り当てられた一つ以上のページンググループを識別するための一つ以上のページンググループＩＤ及び一つ以上のページングオフセットを含むメッセージを受信し、
前記端末が遊休モードに進入し、
前記端末が第２基地局から前記第２基地局の属している一つ以上のページンググループを識別する一つ以上のページンググループＩＤを含む放送情報をページング聴取区間で受信し、
前記端末が前記放送情報に基づいて前記第２基地局の一つ以上のページンググループが前記端末の一つ以上のページンググループと同一か否かを判断すること、
を含み、
前記第２基地局の一つ以上のページンググループのうち少なくとも一つが前記端末の一つ以上のページンググループと同一である場合、前記端末は、現在のページングリスニングインターバル区間でページングメッセージを受信することを特徴とする、ページング方法。
【請求項２】
前記放送情報は、スーパーフレームの最初のフレームの最初のサブフレームで転送されることを特徴とする、請求項１に記載のページング方法。
【請求項３】
前記端末に前記第１基地局から２つ以上のページンググループが割り当てられる場合、前記端末には、前記２つ以上のページンググループに対するページンググループＩＤとページングオフセットが割り当てられることを特徴とする、請求項１に記載のページング方法。
【請求項４】
前記第２基地局の属している一つ以上のページンググループＩＤが、前記端末に割り当てられた一つ以上のページンググループＩＤと同一でない場合、前記端末は、現在のページングリスニングインターバル区間で前記ページングメッセージを受信しないことを特徴とする、請求項１に記載のページング方法。
【請求項５】
前記端末に前記第１基地局から２つ以上のページンググループが割り当てられる場合、ページングオフセットの最も小さいページンググループを主ページンググループに設定し、残りのページンググループを副ページンググループに設定することを特徴とする、請求項１に記載のページング方法。
【請求項６】
前記端末は、前記端末に割り当てられた少なくとも一つ以上のページンググループに相応する前記一つ以上のページングオフセットを用いて、前記一つ以上のページンググループのそれぞれに対するページングリスニングインターバルの開始点を導き出すことを特徴とする、請求項１に記載のページング方法。
【請求項７】
前記第１基地局及び前記第２基地局は、同一の基地局であることを特徴とする、請求項１に記載の、ページング方法。
【請求項８】
無線接続システムにおいてページングを支援する方法であって、
基地局が、端末に割り当てられた一つ以上のページンググループを識別するための一つ以上のページンググループＩＤ及び一つ以上のページングオフセットを含むメッセージを、前記端末に転送し、
前記基地局が前記基地局の属している一つ以上のページンググループを識別する一つ以上のページンググループＩＤを含む放送情報を放送すること、
を含み、
前記基地局の一つ以上のページンググループのうち少なくとも一つが前記端末の一つ以上のページンググループと同一である場合、前記基地局は、前記端末のページングリスニングインターバル区間でページングメッセージを前記端末に転送することを特徴とする、ページング支援方法。
【請求項９】
前記放送情報は、スーパーフレームの最初のフレームの最初のサブフレームで転送されることを特徴とする、請求項８に記載のページング方法。
【請求項１０】
前記基地局が２つ以上のページンググループを端末に割り当てる場合、前記基地局は、前記２つ以上のページンググループに対するページンググループ識別子とページングオフセットをそれぞれ割り当てることを特徴とする、請求項８に記載のページング方法。
【請求項１１】
前記基地局の一つ以上のページンググループが前記端末の一つ以上のページンググループと同一でない場合、前記基地局は、前記端末のページングリスニングインターバル区間で前記ページングメッセージを転送しないことを特徴とする、請求項８に記載のページング支援方法。
【請求項１２】
前記基地局が前記端末に２つ以上のページンググループを割り当てる場合、ページングオフセットの最も小さいページンググループを主ページンググループに設定し、残りのページンググループを副ページンググループに設定することを特徴とする、請求項８に記載のページング支援方法。
【請求項１３】
無線接続システムにおいてページングを行う端末であって、
前記端末は、
第１基地局から前記端末に割り当てられた一つ以上のページンググループを識別するための一つ以上のページンググループＩＤ及び一つ以上のページングオフセットを含むメッセージを受信し、
遊休モードに進入し、
第２基地局から前記第２基地局の属している一つ以上のページンググループを識別する一つ以上のページンググループＩＤを含む放送情報をページング聴取区間で受信し、
前記放送情報に基づいて前記第２基地局の一つ以上のページンググループが前記端末の一つ以上のページンググループと同一であるか否かを判断すること、
を行うように構成され、
前記第２基地局の一つ以上のページンググループのうち少なくとも一つが、前記端末の一つ以上のページンググループと同一である場合、前記端末は、現在のページングリスニングインターバル区間でページングメッセージを受信することを特徴とする、端末。
【請求項１４】
前記放送情報は、スーパーフレームの最初のフレームの最初のサブフレームで転送されることを特徴とする、請求項１３に記載の端末。
【請求項１５】
前記端末に前記第１基地局から２つ以上のページンググループが割り当てられる場合、前記端末には前記２つ以上のページンググループに対するページンググループＩＤとページングオフセットが割り当てられることを特徴とする、請求項１３に記載の端末。
【請求項１６】
前記第２基地局の属している一つ以上のページンググループＩＤが、前記端末に割り当てられた一つ以上のページンググループＩＤと同一でない場合、前記端末は、現在のページングリスニングインターバル区間で前記ページングメッセージを受信しないことを特徴とする、請求項１３に記載の端末。
【請求項１７】
前記端末に前記第１基地局から２つ以上のページンググループが割り当てられる場合、ページングオフセットの最も小さいページンググループを主ページンググループに設定し、残りのページンググループを副ページンググループに設定することを特徴とする、請求項１３に記載の端末。
【請求項１８】
前記端末は、前記端末に割り当てられた少なくとも一つ以上のページンググループに相応する前記一つ以上のページングオフセットを用いて、前記一つ以上のページンググループのそれぞれに対するページングリスニングインターバルの開始点を認識することを特徴とする、請求項１３に記載の端末。
【請求項１９】
前記第１基地局及び前記第２基地局は、同一の基地局であることを特徴とする、請求項１３に記載の端末。
【請求項２０】
無線接続システムにおいてページングを支援する基地局であって、
前記基地局は、
端末に割り当てられた一つ以上のページンググループを識別するための一つ以上のページンググループＩＤ及び一つ以上のページングオフセットを含むメッセージを前記端末に転送し、
前記基地局が前記基地局の属している一つ以上のページンググループを識別する一つ以上のページンググループＩＤを含む放送情報を放送すること
を行うように構成され、
前記基地局の一つ以上のページンググループのうち少なくとも一つが、前記端末の一つ以上のページンググループと同一である場合、前記基地局は、前記端末のページングリスニングインターバル区間でページングメッセージを前記端末に転送することを特徴とする、基地局。
【請求項２１】
前記放送情報は、スーパーフレームの最初のフレームの最初のサブフレームで転送されることを特徴とする、請求項２０に記載の基地局。
【請求項２２】
前記基地局が２つ以上のページンググループを端末に割り当てる場合、前記基地局は、前記２つ以上のページンググループに対するページンググループ識別子とページングオフセットをそれぞれ割り当てることを特徴とする、請求項２０に記載の基地局。
【請求項２３】
前記基地局の一つ以上のページンググループが前記端末の一つ以上のページンググループと同一でない場合、前記基地局は、前記端末のページングリスニングインターバル区間で前記ページングメッセージを転送しないことを特徴とする、請求項２０に記載の基地局。
【請求項２４】
前記基地局が前記端末に２つ以上のページンググループを割り当てる場合、ページングオフセットの最も小さいページンググループを主ページンググループに設定し、残りのページンググループを副ページンググループに設定することを特徴とする、請求項２０に記載の基地局。
【国際調査報告】
2011524109.tif 000012
2011524109.tif 000013